(57)【要約】【課題】クリップ受け入れ部の寸法の異なる複数種の被取付部品に適用することのできるクリップ及びクリップの固定構造を提供する。【解決手段】クリップ１０は、コネクタのクリップ受け入れ部に挿脱自在に保持される係合舌片１５Ａと、該係合舌片１５Ａと平行に設けられた取付板部１１に垂設されて車体パネルの取付穴に係着する係止脚部１２とを備える。外側縁幅ａ１を有する係合舌片１５Ａの両側には、前記クリップ受け入れ部より幅広に形成された他のクリップ受け入れ部の挿入幅に対応した外側縁幅ｂ１を有する一対の幅広用係合舌片１５Ｂ，１５Ｂが平行に設けられている。【選択図】　　　図１
2004076859.tif 000002
【特許請求の範囲】
【請求項１】
被取付部品のクリップ受け入れ部に挿脱自在に保持される係合舌片と、該係合舌片に設けられた取付板部に垂設されて被取付体の取付穴に係着する係止脚部とを備えたクリップであって、
前記係合舌片の両側には、前記クリップ受け入れ部より幅広に形成された他のクリップ受け入れ部の挿入幅に対応した外側縁幅を有する一対の幅広用係合舌片が設けられていることを特徴とするクリップ。
【請求項２】
被取付体の取付穴に係着する係止脚部が垂設された取付板部を備えたクリップと、
被取付部品のクリップ受け入れ部に挿脱自在に保持される係合舌片と、前記クリップ受け入れ部より幅広に形成された他のクリップ受け入れ部の挿入幅に対応した外側縁幅を有して前記係合舌片の両側に設けられた一対の幅広用係合舌片と、前記クリップの取付板部を着脱自在に固定可能なクリップ固定部とを有するアダプタ部材と、
を備えたことを特徴とするクリップの固定構造。
【請求項３】
被取付体の取付穴に係着する係止脚部が垂設された取付板部を備えたクリップと、
被取付部品のクリップ受け入れ部に挿脱自在に保持される係合舌片と、前記クリップ受け入れ部より幅広に形成された他のクリップ受け入れ部の挿入幅に対応した幅広用係合舌片とが、互いに反対方向に突設されると共に、これら各係合舌片に対応して前記クリップの取付板部を選択的に固定可能な一対のクリップ固定部を有するアダプタ部材と、
を備えたことを特徴とするクリップの固定構造。
【発明の詳細な説明】
【０００１】
【発明の属する技術分野】
本発明は、コネクタ等の被取付部品を車体パネル等の被取付体に取り付けるためのクリップ及びクリップの固定構造に関する。
【０００２】
【従来の技術】
例えば、コネクタ、プロテクタ、ワイヤーハーネス用クランプ等の被取付部品を車体パネル等の被取付体に取り付ける場合、パネルの取付穴に係着可能なクリップを介して取り付けることがよく行われている。その場合、クリップをコネクタ等の被取付部品に一体化するものもあるが、クリップをコネクタとは別体で製作し、後からクリップとコネクタを一体に嵌合して用いるものもあり、本発明は後者の技術に関するものである。
【０００３】
図１０は、特開平９−８２４２３号公報等に開示されたクリップの取付構造を示している。
図１０に示したように、コネクタ２を車体パネル３に固定する場合、取付板部７に垂設された係止脚部８を備えた別体のクリップ１をコネクタ外面に装着し、該クリップ１を介してコネクタ２を車体パネル３に固定保持している。
【０００４】
前記クリップ１は、取付板部７に垂設されて車体パネル３の取付穴３ａに係着する係止脚部８を有し、該取付板部７の下側には、一対のＬ字型ガイド片６，６から成る係合部が突設されている。
一方、前記コネクタ２の外面には、逆Ｌ字型断面を有する一対のガイドレール５ａ，５ａと係止突起５ｂとから成るにクリップ受け入れ部５が設けられており、クリップ１のＬ字型ガイド片６，６を一対のガイドレール５ａ，５ａに沿って挿入し、これらガイド片６，６の間に突設された弾性ロック片（図示せず）を前記係止突起５ｂに係合させて着脱自在とされる。
【０００５】
【発明が解決しようとする課題】
ところで、従来のクリップ１における一対のＬ字型ガイド片６，６は、係合相手であるコネクタ２側のクリップ受け入れ部５の寸法に合わせて製作されているため、対応するコネクタ２に対してしか使用することができず、寸法違いのクリップ受け入れ部５を有するコネクタ２には使用することができなかった。
そのため、例えば、同じ車両の同じ場所に異なるコネクタを組み付けようとした場合、クリップ１とコネクタの寸法が合わないために、新たにクリップを用意しなくてはならず、コスト高になっていた。
【０００６】
従って、本発明の目的は上記課題を解消することに係り、クリップ受け入れ部の寸法の異なる複数種の被取付部品に適用することのできるクリップ及びクリップの固定構造を提供することである。
【０００７】
【課題を解決するための手段】
本発明の上記目的は、被取付部品のクリップ受け入れ部に挿脱自在に保持される係合舌片と、該係合舌片に設けられた取付板部に垂設されて被取付体の取付穴に係着する係止脚部とを備えたクリップであって、
前記係合舌片の両側には、前記クリップ受け入れ部より幅広に形成された他のクリップ受け入れ部の挿入幅に対応した外側縁幅を有する一対の幅広用係合舌片が設けられていることを特徴とするクリップにより達成される。
【０００８】
上記構成によれば、係合舌片の両側に一対の幅広用係合舌片を設けているので、該係合舌片が挿入されるクリップ受け入れ部を有した被取付部品と組み合わせる場合には、前記係合舌片をクリップ受け入れ部に挿入し、幅広のクリップ受け入れ部を有した被取付部品と組み合わせる場合には、一対の前記幅広用係合舌片をクリップ受け入れ部に挿入する。
【０００９】
そこで、異なる寸法のクリップ受け入れ部を有する二種類の被取付部品に対して、一種類のクリップを共用することができる。即ち、クリップ受け入れ部の寸法違いの被取付部品に対応することができるので、クリップの汎用性が拡大し、コストダウンが図れる。
【００１０】
又、本発明の上記目的は、被取付体の取付穴に係着する係止脚部が垂設された取付板部を備えたクリップと、
被取付部品のクリップ受け入れ部に挿脱自在に保持される係合舌片と、前記クリップ受け入れ部より幅広に形成された他のクリップ受け入れ部の挿入幅に対応した外側縁幅を有して前記係合舌片の両側に設けられた一対の幅広用係合舌片と、前記クリップの取付板部を着脱自在に固定可能なクリップ固定部とを有するアダプタ部材と、
を備えたことを特徴とするクリップの固定構造により達成される。
【００１１】
上記構成によれば、クリップと被取付部品との間にアダプタ部材を介在させ、そのアダプタ部材に係合舌片とそれより幅広の幅広用係合舌片とを設けているので、該係合舌片が挿入されるクリップ受け入れ部を有した被取付部品と組み合わせる場合には、前記係合舌片をクリップ受け入れ部に挿入し、幅広のクリップ受け入れ部を有した被取付部品と組み合わせる場合には、一対の前記幅広用係合舌片をクリップ受け入れ部に挿入する。
【００１２】
そこで、異なる寸法のクリップ受け入れ部を有する二種類の被取付部品に対して、一種類のクリップを共用することができる。即ち、係合舌片及び一対の幅広用係合舌片を有するアダプタ部材を使用することにより、クリップ受け入れ部の寸法違いの被取付部品に対応することができるので、クリップの汎用性が拡大し、コストダウンが図れる。更に、クリップ受け入れ部に応じて異なる寸法のアダプタ部材を追加する際も、共通のクリップを利用することができる。
【００１３】
又、本発明の上記目的は、被取付体の取付穴に係着する係止脚部が垂設された取付板部を備えたクリップと、
被取付部品のクリップ受け入れ部に挿脱自在に保持される係合舌片と、前記クリップ受け入れ部より幅広に形成された他のクリップ受け入れ部の挿入幅に対応した幅広用係合舌片とが、互いに反対方向に突設されると共に、これら各係合舌片に対応して前記クリップの取付板部を選択的に固定可能な一対のクリップ固定部を有するアダプタ部材と、
を備えたことを特徴とするクリップの固定構造により達成される。
【００１４】
上記構成によれば、クリップと被取付部品との間にアダプタ部材を介在させ、そのアダプタ部材に係合舌片とそれより幅広の幅広用係合舌片とを設けているので、該係合舌片が挿入されるクリップ受け入れ部を有した被取付部品と組み合わせる場合には、前記係合舌片をクリップ受け入れ部に挿入し、幅広のクリップ受け入れ部を有した被取付部品と組み合わせる場合には、前記幅広用係合舌片をクリップ受け入れ部に挿入する。
【００１５】
そこで、異なる寸法のクリップ受け入れ部を有する二種類の被取付部品に対して、一種類のクリップを共用することができる。即ち、係合舌片及び幅広用係合舌片を有するアダプタ部材を使用することにより、クリップ受け入れ部の寸法違いの被取付部品に対応することができるので、クリップの汎用性が拡大し、コストダウンが図れる。また、アダプタ部材を追加するだけで、共通のクリップを利用することができる。
【００１６】
更に、二種類の係合舌片及び幅広用係合舌片を反対向きに突設しているので、幅広用係合舌片も全幅を有する１枚の板体として作ることができ、強度を高めることができる。
また、クリップの取付板部を固定するクリップ固定部は、使用する係合舌片に応じて選択することができるので、クリップの固定位置を適切に選ぶことができ、安定した状態でクリップをアダプタ部材を介して被取付部品に取り付けることができる。
【００１７】
【発明の実施の形態】
以下、添付図面に基づいて本発明の一実施形態に係るクリップ及びクリップの固定構造を詳細に説明する。
図１は本発明の第１実施形態として示すクリップの全体斜視図、図２（ａ）は図１に示したクリップと嵌合可能な小コネクタの斜視図、図２（ｂ）は図１に示したクリップと小コネクタの嵌合状態を示す斜視図、図３（ａ）は図１に示したクリップと嵌合可能な大コネクタの斜視図、図３（ｂ）は図１に示したクリップと大コネクタの嵌合状態を示す斜視図である。
【００１８】
本第１実施形態のクリップ１０は、図１に示したように、取付板部１１と、取付板部１１に垂設された係止脚部１２とを有する。係止脚部１２には、図示しない車体パネル（被取付体）の取付穴に挿入された際に抜け止めロックされる一対の弾性羽根１３が設けられており、取付板部１１には、弾性羽根１３がロックされたとき、車体パネルに押圧してがたつきをなくす一対の弾性押圧板１４が突設されている。
【００１９】
前記取付板部１１の下側には、取付板部１１と平行に延びる係合舌片１５Ａと、該係合舌片１５Ａの両側にスリット１６を介して平行に延びる一対の幅広用係合舌片１５Ｂ，１５Ｂとが設けられている。
前記係合舌片１５Ａは、図２に示した小コネクタ（被取付部品）５０のクリップ受け入れ部５１に挿脱自在に保持されるものであり、その外側縁幅ａ１は、クリップ受け入れ部５１の挿入幅ａ２に対応して設定されている。
【００２０】
また、一対の前記幅広用係合舌片１５Ｂ，１５Ｂは、図３に示した大コネクタ（被取付部品）６０のクリップ受け入れ部６１に挿脱自在に保持されるものであり、その外側縁幅ｂ１は、クリップ受け入れ部６１の挿入幅ｂ２に対応して設定されている。
ここで、大コネクタ６０におけるクリップ受け入れ部６１の挿入幅ｂ２は、小コネクタ５０におけるクリップ受け入れ部５１の挿入幅ｂ１よりも大きい。
【００２１】
尚、係合舌片１５Ａと各幅広用係合舌片１５Ｂとの間に形成されたスリット１６には、該係合舌片１５Ａを小コネクタ５０のクリップ受け入れ部５１に挿入した際に、クリップ受け入れ部５１側の側壁５１ａが嵌挿される。
又、上記係合舌片１５Ａと各コネクタ５０，６０との間には、クリップ１０を抜け止めロックする公知のロック手段が設けられる。本実施形態においては、ロック手段が、係合舌片１５Ａに形成された係合孔１７と、可撓ロック片５１ｂ（６１ｂ）とから成る。
【００２２】
即ち、本実施形態のクリップ１０は、係合舌片１５Ａと一対の幅広用係合舌片１５Ｂ，１５Ｂとを備えているので、図２（ｂ）に示すように、通常の幅狭なクリップ受け入れ部５１を有した小コネクタ５０と組み合わせる場合には、前記係合舌片１５Ａをクリップ受け入れ部５１に挿入することで、小コネクタ５０と一体化することができる。
【００２３】
また、図３（ｂ）に示すように、幅広のクリップ受け入れ部６１を有した大コネクタ６０と組み合わせる場合には、一対の幅広用係合舌片１５Ｂ，１５Ｂをクリップ受け入れ部６１に挿入することで、大コネクタ６０と一体化することができる。
従って、異なる寸法のクリップ受け入れ部５１，６１を有する小コネクタ５０及び大コネクタ６０に対し、一種類のクリップ１０を共用することができ、クリップ１０の汎用性が拡大し、コストダウンが図れる。
【００２４】
図４は本発明の第２実施形態に係るクリップ固定構造の説明図であり、（ａ）は分解斜視図、（ｂ）はアダプタ部材の裏面図、図５は小コネクタに図４に示したアダプタ部材を介してクリップを固定した状態を示す斜視図、図６は大コネクタに図４に示したアダプタ部材を介してクリップを固定した状態を示す斜視図である。
【００２５】
本第２実施形態のクリップ固定構造では、図４に示すように、クリップ２０を直接小コネクタ５０に取り付けるのではなく、クリップ２０と小コネクタ５０との間にアダプタ部材３０を介在させるようにしている。
前記クリップ２０は、図示しない車体パネルの取付穴に係着する係止脚部２２が垂設された取付板部２１を備え、係止脚部１２には弾性羽根２３が設けられ、取付板部２１には弾性押圧板２４が設けられている。
【００２６】
前記アダプタ部材３０は、図４に示したように、基板部３１の上面側にはクリップ２０の取付板部２１を着脱自在に固定するクリップ固定部３２を有すると共に、下面側には基板部３１と平行に延びる係合舌片３５Ａと、該係合舌片３５Ａの両側に平行に延びる一対の幅広用係合舌片３５Ｂ，３５Ｂとが設けられている。
【００２７】
図４（ｂ）に示したように、前記係合舌片３５Ａは、前記小コネクタ５０のクリップ受け入れ部５１に挿脱自在に保持されるものであり、その外側縁幅ａ１は、クリップ受け入れ部５１の挿入幅ａ２に対応して設定されている。
また、一対の前記幅広用係合舌片３５Ｂ，３５Ｂは、図６に示した大コネクタ６０のクリップ受け入れ部６１に挿脱自在に保持されるものであり、その外側縁幅ｂ１は、クリップ受け入れ部６１の挿入幅ｂ２に対応して設定されている。
【００２８】
本第２実施形態のクリップ固定構造では、クリップ２０を取り付けるアダプタ部材３０に、係合舌片３５Ａと一対の幅広用係合舌片３５Ｂ，３５Ｂとが設けられている。
そこで、図５に示すように、アダプタ部材３０を介して幅狭なクリップ受け入れ部５１を備えた小コネクタ５０とクリップ２０とを組み合わせる場合には、まず、クリップ２０の取付板部２１をアダプタ部材３０のクリップ固定部３２に固定し、その状態でアダプタ部材３０における係合舌片３５Ａを小コネクタ５０のクリップ受け入れ部５１に挿入することで、小コネクタ５０と一体化することができる。
【００２９】
また、図６に示すように、アダプタ部材３０を介して幅広のクリップ受け入れ部６１を備えた大コネクタ６０とクリップ２０とを組み合わせる場合には、まず、クリップ２０の取付板部２１をアダプタ部材３０のクリップ固定部３２に固定し、その状態でアダプタ部材３０における一対の幅広用係合舌片３５Ｂ，３５Ｂを大コネクタ６０のクリップ受け入れ部６１に挿入することで、大コネクタ６０と一体化することができる。
【００３０】
従って、異なる寸法のクリップ受け入れ部５１，６１を有する小コネクタ５０及び大コネクタ６０に対し、一種類のクリップ１０を共用することができ、クリップ２０の汎用性が拡大し、コストダウンが図れる。更に、クリップ受け入れ部に応じて異なる寸法のアダプタ部材を追加する際も、共通のクリップ２０を利用することができる。
【００３１】
尚、上記説明では、クリップ２０をアダプタ部材３０のクリップ固定部３２に取り付けた後で、アダプタ部材３０の係合舌片３５Ａ（３５Ｂ）をコネクタ５０（６０）のクリップ受け入れ部５１（６１）に挿入したが、順序を逆にして、アダプタ部材３０の係合舌片３５Ａ（３５Ｂ）をコネクタ５０（６０）のクリップ受け入れ部５１（５２）に挿入した後で、クリップ２０をアダプタ部材３０のクリップ固定部３２に取り付けてもよい。
【００３２】
図７は本発明の第３実施形態に係るクリップ固定構造に使用するアダプタ部材の構成図であり、（ａ）は上面側の構成を示す斜視図、（ｂ）は裏面側の構成を示す斜視図である。図８は図７に示したアダプタ部材を用いてクリップを小コネクタに取り付ける場合の斜視図、図９は図７に示したアダプタ部材を用いてクリップを大コネクタに取り付ける場合の斜視図である。尚、本第３実施形態に係るクリップ固定構造は、アダプタ部材３０をアダプタ部材４０に代えた以外は、上記第２実施形態のクリップ固定構造における構成部品と同じである。
【００３３】
本第３実施形態に係るアダプタ部材４０は、図７に示したように、基板部４１の上面側にはクリップ２０の取付板部２１を選択的に固定可能な一対のクリップ固定部４２ａ，４２ｂを有すると共に、下面側には基板部４１と平行に延びる係合舌片４５Ａと幅広用係合舌片４５Ｂとが互いに反対方向に突設されている。
【００３４】
図７（ｂ）に示したように、前記係合舌片４５Ａは、小コネクタ５０のクリップ受け入れ部５１に挿脱自在に保持されるものであり、その外側縁幅ａ１は、クリップ受け入れ部５１の挿入幅ａ２に対応して設定されている。
また、前記幅広用係合舌片４５Ｂは、大コネクタ６０のクリップ受け入れ部６１に挿脱自在に保持されるものであり、その外側縁幅ｂ１は、クリップ受け入れ部６１の挿入幅ｂ２に対応して設定されている。
【００３５】
そして、これら反対方向を向いた係合舌片４５Ａ又は幅広用係合舌片４５Ｂに対応して、前記クリップ２０の取付板部２１を一対のクリップ固定部４２ａ，４２ｂに選択的に固定することができるように構成されている。
即ち、前記係合舌片４５Ａを小コネクタ５０に挿着する際には、該係合舌片４５Ａと同じ側にあるクリップ固定部４２ａにクリップ２０を固定し、前記幅広用係合舌片４５Ｂを大コネクタ６０に挿着する際には、該幅広用係合舌片４５Ｂと同じ側にあるクリップ固定部４２ｂにクリップ２０を固定する。なお、前記クリップ２０の取付板部２１には、各クリップ固定部４２ａ，４２ｂの係止突起４３と係合して抜け止めされるロック部（図示せず）が設けられている。
【００３６】
本第３実施形態のクリップ固定構造では、クリップ２０を取り付けるアダプタ部材４０に、係合舌片４５Ａと幅広用係合舌片４５Ｂとが設けられている。
そこで、図８に示すように、アダプタ部材４０を介して幅狭なクリップ受け入れ部５１を備えた小コネクタ５０とクリップ２０とを組み合わせる場合には、まず、クリップ２０の取付板部２１をアダプタ部材４０のクリップ固定部４２ａに固定し、その状態でアダプタ部材４０における係合舌片４５Ａを小コネクタ５０のクリップ受け入れ部５１に挿入することで、小コネクタ５０と一体化することができる。
【００３７】
また、図９に示すように、アダプタ部材４０を介して幅広のクリップ受け入れ部６１を備えた大コネクタ６０とクリップ２０とを組み合わせる場合には、まず、クリップ２０の取付板部２１をアダプタ部材４０のクリップ固定部４２ｂに固定し、その状態でアダプタ部材４０における幅広用係合舌片４５Ｂを大コネクタ６０のクリップ受け入れ部６１に挿入することで、大コネクタ６０と一体化することができる。
【００３８】
従って、異なる寸法のクリップ受け入れ部５１，６１を有する小コネクタ５０及び大コネクタ６０に対し、一種類のクリップ２０を共用することができ、クリップ２０の汎用性が拡大し、コストダウンが図れる。更に、クリップ受け入れ部に応じて異なる寸法のアダプタ部材を追加する際も、共通のクリップ２０を利用することができる。
【００３９】
更に、二種類の幅の係合舌片４５Ａ及び幅広用係合舌片４５Ｂを反対向きに突設しているので、幅広用係合舌片４５Ｂも全幅を有する１枚の板体として作ることができ、強度を高めることができる。
また、クリップ２０の取付板部２１を固定するクリップ固定部４２ａ，４２ｂは、使用する係合舌片４５Ａ又は幅広用係合舌片４５Ｂに応じて選択することができるので、クリップ２０の固定位置を適切に選ぶことができ、安定した状態でクリップ２０をアダプタ部材４０を介して各コネクタ５０，６０に取り付けることができる。
【００４０】
尚、本発明のクリップ及びクリップの固定構造に係る被取付部品、係合舌片、幅広用係合舌片、クリップ及びアダプタ部材等の構成は、上記実施形態の構成に限定されるものではなく、本発明の趣旨に基づいて種々の形態を採りうることは言うまでもない。
例えば、上記実施形態においては、被取付部品としてコネクタを例に説明したが、プロテクタ、ワイヤーハーネス用クランプ等にも応用できることは勿論である。
【００４１】
【発明の効果】
以上説明したように、請求項１の発明によれば、係合舌片の両側に一対の幅広用係合舌片を設けているので、該係合舌片が挿入されるクリップ受け入れ部を有した被取付部品と組み合わせる場合には、前記係合舌片をクリップ受け入れ部に挿入し、幅広のクリップ受け入れ部を有した被取付部品と組み合わせる場合には、一対の前記幅広用係合舌片をクリップ受け入れ部に挿入する。
そこで、異なる寸法のクリップ受け入れ部を有する二種類の被取付部品に対して、一種類のクリップを共用することができる。即ち、クリップ受け入れ部の寸法違いの被取付部品に対応することができるので、クリップの汎用性が拡大し、コストダウンが図れる。
【００４２】
又、請求項２の発明によれば、クリップと被取付部品との間にアダプタ部材を介在させ、そのアダプタ部材に係合舌片とそれより幅広の幅広用係合舌片とを設けているので、該係合舌片が挿入されるクリップ受け入れ部を有した被取付部品と組み合わせる場合には、前記係合舌片をクリップ受け入れ部に挿入し、幅広のクリップ受け入れ部を有した被取付部品と組み合わせる場合には、一対の前記幅広用係合舌片をクリップ受け入れ部に挿入する。
【００４３】
そこで、異なる寸法のクリップ受け入れ部を有する二種類の被取付部品に対して、一種類のクリップを共用することができる。即ち、係合舌片及び一対の幅広用係合舌片を有するアダプタ部材を使用することにより、クリップ受け入れ部の寸法違いの被取付部品に対応することができるので、クリップの汎用性が拡大し、コストダウンが図れる。更に、クリップ受け入れ部に応じて異なる寸法のアダプタ部材を追加する際も、共通のクリップを利用することができる。
【００４４】
又、請求項３の発明によれば、クリップと被取付部品との間にアダプタ部材を介在させ、そのアダプタ部材に係合舌片とそれより幅広の幅広用係合舌片とを設けているので、該係合舌片が挿入されるクリップ受け入れ部を有した被取付部品と組み合わせる場合には、前記係合舌片をクリップ受け入れ部に挿入し、幅広のクリップ受け入れ部を有した被取付部品と組み合わせる場合には、前記幅広用係合舌片をクリップ受け入れ部に挿入する。
【００４５】
そこで、異なる寸法のクリップ受け入れ部を有する二種類の被取付部品に対して、一種類のクリップを共用することができる。即ち、係合舌片及び幅広用係合舌片を有するアダプタ部材を使用することにより、クリップ受け入れ部の寸法違いの被取付部品に対応することができるので、クリップの汎用性が拡大し、コストダウンが図れる。また、アダプタ部材を追加するだけで、共通のクリップを利用することができる。
【００４６】
更に、二種類の係合舌片及び幅広用係合舌片を反対向きに突設しているので、幅広用係合舌片も全幅を有する１枚の板体として作ることができ、強度を高めることができる。
また、クリップの取付板部を固定するクリップ固定部は、使用する係合舌片に応じて選択することができるので、クリップの固定位置を適切に選ぶことができ、安定した状態でクリップをアダプタ部材を介して被取付部品に取り付けることができる。
【図面の簡単な説明】
【図１】本発明の第１実施形態として示すクリップの全体斜視図である。
【図２】（ａ）は図１に示したクリップと嵌合可能な小コネクタの斜視図、（ｂ）は図１に示したクリップと小コネクタの嵌合状態を示す斜視図である。
【図３】（ａ）は図１に示したクリップと嵌合可能な大コネクタの斜視図、（ｂ）は図１に示したクリップと大コネクタの嵌合状態を示す斜視図である。
【図４】本発明の第２実施形態に係るクリップ固定構造の説明図であり、（ａ）は分解斜視図、（ｂ）はアダプタ部材の裏面図である。
【図５】小コネクタに図４に示したアダプタ部材を介してクリップを固定した状態を示す斜視図である。
【図６】大コネクタに図４に示したアダプタ部材を介してクリップを固定した状態を示す斜視図である。
【図７】本発明の第３実施形態に係るクリップ固定構造に使用するアダプタ部材の構成図であり、（ａ）は上面側の構成を示す斜視図、（ｂ）は裏面側の構成を示す斜視図である。
【図８】図７に示したアダプタ部材を用いてクリップを小コネクタに取り付ける場合の斜視図である。
【図９】図７に示したアダプタ部材を用いてクリップを大コネクタに取り付ける場合の斜視図である。
【図１０】従来のクリップ固定構造の説明図である。
【符号の説明】
１０　クリップ
１１　取付板部
１２　係止脚部
１５Ａ　係合舌片
１５Ｂ　幅広用係合舌片
５０　小コネクタ（被取付部品）
５１　クリップ受け入れ部
６０　大コネクタ（被取付部品）
６１　クリップ受け入れ部
【図１】
2004076859.tif 000003
【図２】
2004076859.tif 000004
【図３】
2004076859.tif 000005
【図４】
2004076859.tif 000006
【図５】
2004076859.tif 000007
【図６】
2004076859.tif 000008
【図７】
2004076859.tif 000009
【図８】
2004076859.tif 000010
【図９】
2004076859.tif 000011
【図１０】
2004076859.tif 000012